(57)【要約】【課題】苗を紐やテープなどで固定せずに活着期間、風雨、鳥などから植物が倒れないように保護できる仮支柱を提供する。【解決手段】植物の苗を植え付けた後、苗が根付くまで倒れないように支持する仮支柱であって、支柱本体上部に植物保持部材を備え、前記保持部材と支柱との間で植物を保持し、支柱の他端部を地中に差込んで使用される農園芸用仮支柱。【選択図】図１
2019037193.tif 000002
【特許請求の範囲】
【請求項１】
植物の苗を植え付けた後、苗が根付くまで倒れないように支持する仮支柱であって、支柱本体上部に植物保持部材を備え、前記保持部材で植物を保持し、支柱の他端部を地中に差込んで使用される農園芸用仮支柱。
【請求項２】
前記植物保持部材が支柱の先端部から下方向に（植物を保持する距離に）設けられ、保持部材と支柱との間で植物を保持する請求項１に記載の農園芸用仮支柱。
【請求項３】
前記植物保持部材が、支柱先端部を支点として下方向に設けた１または複数の羽根状体であり、前記羽根状体と支柱との間に植物を保持する請求項１または２に記載の農園芸用仮支柱。
【請求項４】
前記羽根状体が２枚である請求項３に記載の農園芸用仮支柱。
【請求項５】
前記羽根状体の頂部（１ａ）からの垂線（Ｖ）と、羽根状体の根本部（１ｂ）を通る内側側面(支柱との間に空間の在る方の側面)の接線（Ｔ）とのなす角度が５〜６０度である請求項２〜４のいずれかに記載の農園芸用仮支柱。
【請求項６】
羽根状体が、厚みを有する板状体である請求項１〜４に記載の農園芸用仮支柱。
【請求項７】
前記板状体が、平板状または湾曲した板状である請求項２〜６に記載の農園芸用仮支柱。
【請求項８】
前記保持部材の最下部と支柱との距離（幅）が、支柱に垂直方向に０．５〜３．５ｃｍである請求項１〜６のいずれかに記載の農園芸用仮支柱。
【請求項９】
前記保持部材を有する支柱の重心が、支柱の全長に対して、前記羽根状構造体部から１／２〜１／１０の位置にある請求項１〜８に記載の農園芸用仮支柱。
【請求項１０】
前記支柱の材料が、金属、木材、竹材、プラスチック材及び樹脂コーティング金属から選択され、断面が円形、楕円形、多角形または円筒形（パイプ状）である請求項１〜９に記載の農園芸用仮支柱。
【請求項１１】
前記保持部材の材料が、金属、木材、セラミックス、プラスチック、紙粘土、樹脂粘土、陶器及びゴムから選択される請求項１〜１０に記載の農園芸用仮支柱。
【発明の詳細な説明】
【技術分野】
【０００１】
本発明は農園芸用仮支柱に関する。さらに詳しく言えば、植物の苗を植え付けた後に養生期間を経て根付きが完了するまでの期間（活着期）から、さらに苗が成長して本支柱に切り替えるまでの期間、植物が倒れないように支持する支柱であって、先端の特定構造部分と支柱本体との間に植物を保持した状態で他端部を地中に差込んで使用される農園芸用仮支柱に関する。
【背景技術】
【０００２】
野菜などの幼苗期の苗をビニールポットから土壌（大地）あるいはプランターへの植替えた後は、根付きが始まるまでの期間（活着期）として通常３〜４日間を必要とする。この活着期において植物を風雨、鳥、猫など（の小動物）が触れることにより植物が倒れないよう保護するために、あるいは弦植物では弦が地面に付かないよう誘引するために、３０ｃｍ〜７０ｃｍ程度の長さの仮支柱を斜めに挿し、苗と仮支柱を軽く結びつける。そして、完全に根付いて、ある程度成長した後（２週間程度の養生期間が経過した後）仮支柱を外し仮支柱よりも長い本支柱に切り替える（例えば、加藤流絶品野菜づくり，２３頁，（有）万来舎，２０１５年；非特許文献１）。
【０００３】
現在使用されている仮支柱は、複数本の支柱をクロスさせて使用したり、苗ごとに仮支柱を紐、テープ、針金などで固定する必要があった。紐で固定する場合、強く結びつけると苗の成長に悪影響を及ぼすので軽く、例えば８の字状に結びつける。この作業は、作業時に苗の枝を折る、花芽がとれる、葉と枝を傷つける等がないように慎重に行う必要があり、そのための結束機も提案されてはいるが（特開２０１５−４２１３７号公報；特許文献１）、大変手間のかかる作業である。
【先行技術文献】
【特許文献】
【０００４】
【特許文献１】特開２０１５−４２１３７号公報
【非特許文献】
【０００５】
【非特許文献１】加藤流絶品野菜づくり，２３頁，（有）万来舎（２０１５年）
【発明の概要】
【発明が解決しようとする課題】
【０００６】
本発明の課題は、苗を紐やテープなどで固定せずに活着期間、風雨、鳥、猫などのいたずらにより植物が倒れないように保護できる仮支柱を提供することにある。
【課題を解決するための手段】
【０００７】
本発明者らは鋭意検討を重ねた結果、仮支柱の先端部を特定の形状にすることにより紐・テープなどで苗を固定せずとも活着期の苗が倒れないよう保護できることを見出し、本発明を完成した。
【０００８】
すなわち、本発明は、下記［１］〜［１１］の農園芸用仮支柱に関する。
［１］  植物の苗を植え付けた後、苗が根付くまで倒れないように支持する仮支柱であって、支柱本体上部に植物保持部材を備え、前記保持部材で植物を保持し、支柱の他端部を地中に差込んで使用される農園芸用仮支柱。
［２］  前記植物保持部材が支柱の先端部から下方向に（植物を保持する距離に）設けられ、保持部材と支柱との間で植物を保持する前項１に記載の農園芸用仮支柱。
［３］  前記植物保持部材が、支柱先端部を支点として下方向に設けた１または複数の羽根状体であり、前記羽根状体と支柱との間に植物を保持する前項１または２に記載の農園芸用仮支柱。
［４］  前記羽根状体が２枚である前項３に記載の農園芸用仮支柱。
［５］  前記羽根状体の頂部（１ａ）からの垂線（Ｖ）と、羽根状体の根本部（１ｂ）を通る内側側面(支柱との間に空間の在る方の側面)の接線（Ｔ）とのなす角度が５〜６０度である前項２〜４のいずれかに記載の農園芸用仮支柱。
［６］  羽根状体が、厚みを有する板状体である前項１〜４に記載の農園芸用仮支柱。
［７］  前記板状体が、平板状または湾曲した板状である前項２〜６に記載の農園芸用仮支柱。
［８］  前記保持部材の最下部と支柱との距離（幅）が、支柱に垂直方向に０．５〜３．５ｃｍである前項１〜６のいずれかに記載の農園芸用仮支柱。
［９］  前記保持部材を有する支柱の重心が、支柱の全長に対して、前記羽根状構造体部から１／２〜１／１０の位置にある前項１〜８に記載の農園芸用仮支柱。
［１０］  前記支柱の材料が、金属、木材、竹材、プラスチック材及び樹脂コーティング金属から選択され、断面が円形、楕円形、多角形または円筒形（パイプ状）である前項１〜９に記載の農園芸用仮支柱。
［１１］  前記保持部材の材料が、金属、木材、セラミックス、プラスチック、紙粘土、樹脂粘土、陶器及びゴムから選択される前項１〜１０に記載の農園芸用仮支柱。
【発明の効果】
【０００９】
本発明の農園芸用仮支柱では、支柱先端の保持部材と支柱本体の間で苗を保持でき、従来のように支柱に苗を結ぶ作業が不要である。従って作業時に枝を折る、花芽がとれるなど植物を傷つけることがない。また、本支柱に切り替える際の撤去が容易である。
【図面の簡単な説明】
【００１０】
【図１】本発明の農園芸用仮支柱先端部にある保持部材の一例（羽根状体）の構成を示す図である。
【図２】陶器で作成した羽根状の保持部材を有する仮支柱の写真である。
【図３】本発明の農園芸用仮支柱の重心の説明図である。
【図４】本発明の農園芸用仮支柱の一例により苗を保持した状態を示す写真である。
【発明を実施するための形態】
【００１１】
以下、図面をも参照しつつ本発明を説明する。
本発明に係る農園芸用仮支柱は、植物の苗を植え付けた後に苗が完全に根付くまで倒れないように保持するためのものであり、支柱本体の先端部に保持構造（保持部材）を備え、保持部材と支柱との間に、従来のように紐やテープなどにより植物を結びつけることなく、植物の茎あるいは葉枝を保持した状態で、支柱の他端部を地中に差込んで使用される。
【００１２】
保持部材の形状は、紐などで支柱に結びつけることなく保持部材と支柱との間に植物（植物の茎あるいは枝）を保持し、苗が根付いて、さらに本支柱に切り替えるまでの生育の期間（植物種により異なるがおおむね２週間程度）、植物保持状態を維持できるものであればよい。
【００１３】
保持部材は支柱先端部を支点として下方向に設けられ、保持部材と支柱との間で植物を保持する。
保持部材の具体例として、支柱先端部を支点として下方向に１枚または複数ごとの羽根状体を設け、羽根状体と支柱との間に植物を保持する態様が挙げられる。以下この態様に基づいて本発明を説明する。
【００１４】
羽根状体の数（枚数）は１枚でも植物を保持できるが、２枚以上の複数枚が好ましく、特に２枚が好ましい。
羽根状体は、支柱との間に植物を保持できる空間部を形成するように、羽根の頂部を支点とし下方向に傾斜するように取り付ける。
図１に羽根が２枚の羽根状体（２）の羽根（２ａ，２ｂ）と支柱（１）との位置関係を表す模式図を示す。
【００１５】
支柱（１）には、その頂点（１ａ）を支点に２枚の羽根が支柱に対して左右対称に、斜め下方向に開いて支柱と羽根との間に空間部を形成するように取り付ける。両羽根の開き角度は羽根状体の形状、厚み、大きさ(サイズ)などにより異なり一概に規定できない。図１に示す羽根状体の場合には、羽根状体の頂部（１ａ）からの垂線（Ｖ）と、羽根状体の根本部（１ｂ）を通る内側側面(支柱との間に空間の在る方の側面)の接線（Ｔ）とのなす角度が５〜６０度、好ましくは７〜４５度である。角度θが下限値より小さいと作業性が悪く、上限値より大きいと保持力が弱くなる。
【００１６】
前記羽根状体の最下部と支柱との距離（羽根と支柱との最大幅）は、支柱に対する垂直方向に０．５〜３．５ｃｍが適当である。距離が狭いと（下限値より小さいと）苗の茎が入れにくいため作業性が悪い。広すぎると（上限値より大きいと）植物の保持能力が低下する。
【００１７】
支柱及び支柱の先端に取り付ける羽根状の材料及び形状について説明する。
支柱の材料としては、金属（ステンレス等）、木材、竹材、プラスチック材、金属をプラスチックコーティングした複合材などが挙げられるが、前記例示の材料に限定されるものではない。その形状(断面の形状)も特に限定されず、円形、楕円形、多角形、円筒形（パイプ状）等が挙げられる。
【００１８】
羽根状体の材料としては、金属、木材、セラミックス、プラスチック、ゴム、紙粘土、樹脂粘土、陶器などが挙げられるが、所望の形状に加工しやすいこと、防錆及び耐候性の点から、セラミックス、プラスチック、陶器または樹脂粘土が好ましい。
羽根状体の形状としては、厚みを有する平板状あるいは湾曲した板状などが挙げられるが、これらに限定されるものではない。図２に陶器で作成した、鳥の羽根型形状の態様の写真を示す。
【００１９】
羽根状体は、ある程度の重量があることが好ましい。具体的には、図３に示すように、羽根状体を有する支柱の重心（Ｇ）が、支柱の全長（Ｌ）に対して、前記羽根状体部から２分の１Ｌ〜１０分の１Ｌ（１／２〜１／１０）の位置にあることが好ましい。重心が下限値以下（重心が羽根状構造体に近い）と設置時に重心が上過ぎて倒れる可能性があり、上限値を超える（重心が羽根状構造体から遠くなる）と風や雨などの影響を受けて保持機能が損なわれる可能性がある。
【００２０】
支柱の長さは、植え替えた苗の根付と本支柱に代えるまでの植物の成育に適したものであればよく、一般には、３０〜７０ｃｍ程度である。短いと支柱の用をなさず長すぎると取り扱いにくい。
【００２１】
羽根状体及び仮支柱本体の色は、農園のデザイン性、圃場や植物との調和を考慮し任意に選択することが出来る。色は、仮支柱の設置位置が確認しやすく、苗が成長して仮支柱を本支柱に代えるための撤去の作業性などの点から外観上識別しやすい色、例えば青色系、赤色系、黒色系の色が好ましいが、一般に農業害虫などの嗜好色である黄色系は避ける方が良い。
【００２２】
本発明による農園芸用仮支柱は、植物の苗を植え付けた後、保持部材（羽根状体など）と支柱との間に植物の茎あるいは葉枝が保持されるように斜めにセットした状態で支柱の他端部を地中に差込んで使用される。使用期間は苗移植後から、活着期・生育期を経て、本支柱に代えるまでの期間である。この期間は植物の種類に依るが、おおむね７〜２８日間である。
【００２３】
本発明の仮支柱で苗を保持する対象植物は特に限定されず、一般の農園芸用植物であり、（ミニ）トマト、ナス、キュウリ、ピーマン、スイカ、カボチャ等の食用作物の外、バラ、ヒマワリ等が挙げられる。
【００２４】
本発明の仮支柱では、従来のように苗を支柱に結びつけずに支柱先端の保持部材部と支柱本体の間で苗を保持できる。従来のように支柱に結ぶ作業時に枝を折る、花芽がとれるなど植物を傷つけることがなく、本支柱に代えるとき撤去が容易である。また、従来は必要な付随する消耗品（紐、テープ等）が不要であり、撤去後の保管が容易であり再使用ができる。
【図１】
2019037193.tif 000003
【図２】
2019037193.tif 000004
【図３】
2019037193.tif 000005
【図４】
2019037193.tif 000006